(57)【要約】      （修正有）【課題】複数のタイルを平坦化することができ、加工時間を節減して施工速度を加速するとともに、タイル均平機の使用量を低減して、使用面上の利便性に優れ、コストを低減できるタイル均平機改良構造を提供する。【解決手段】底板の前側板１１０と後側板１１１の底側の間に設けた当接支持用底辺１１２を地面に当接し、平坦にしようとするタイルをそれぞれ前側板と後側板の前、後凹部１１０Ｂ、１１１Ｂによって離隔された左、右の弾性調整領域に設置し、立て板１２に設けた貫通孔１２０を貫通した傾斜ブロック調整体でタイルを平坦に調整する。【選択図】図１
0003203020.tif 000002
【実用新案登録請求の範囲】
【請求項１】
底板と立て板を設け、前記底板には前側板と後側板を設け、前記前側板と後側板との底側が互いに接するように当接支持用底辺を設け、前記前側板と後側板は前記当接支持用底辺に沿って、それぞれ外向きに上方向に傾斜状に底面前傾斜面と底面後傾斜面を設け、前記前側板と後側板との中央にそれぞれ内向きに前凹部と後凹部を凹設し、前記前凹部と後凹部は前記前側板と後側板をそれぞれ左、右２つの弾性調整領域に離隔し、さらに、前記立て板の中央に貫通孔を貫設するＴ型台座を含むことを特徴とするタイル均平機改良構造。
【請求項２】
前記前側板と後側板の底面前傾斜面と底面後傾斜面は地面の水平面に対して成す角度が１°〜２０°であることを特徴とする請求項１に記載のタイル均平機改良構造。
【請求項３】
前記前側板と後側板の前凹部と後凹部は三角形状であることを特徴とする請求項１に記載のタイル均平機改良構造。
【請求項４】
前記前側板と後側板の前凹部と後凹部は台形状であることを特徴とする請求項１に記載のタイル均平機改良構造。
【請求項５】
前記前側板と後側板の板体は外側から内向きに立て板まで厚みが次第に厚くなることを特徴とする請求項１に記載のタイル均平機改良構造。
【請求項６】
前記前側板と後側板との頂面に外から内にそれぞれ複数の前側リブと後側リブを設けることを特徴とする請求項１に記載のタイル均平機改良構造。
【考案の詳細な説明】
【技術分野】
【０００１】
本考案は、タイル均平機改良構造に関し、特に、タイル工事でのコーキング、及びタイルの水平、平面距離を迅速に調整する装置の技術分野に用いられるものに関する。
【背景技術】
【０００２】
案ずるに、従来のタイル均平機は、図９に示すように、支持台２０と押圧ブロック３０で構成され、支持台２０には凹弧状のベース２１と上方に延在する柄部２２を設け、ベース２１の適切な位置に２つの案内孔２１０を対応するように設け、柄部２２に穴部２２０を貫設し、押圧ブロック３０を柄部２２の穴部２２０に貫通させることにより、タイルに下向きの付勢力を与えて、支持台２０の凹弧状による弾力により隣接するタイルの高さを調整する。
【考案の概要】
【考案が解決しようとする課題】
【０００３】
然しながら、前述した従来の技術には下記の問題がある。
１．使用上の利便性に欠ける。1つの支持台で２つのタイルしか平坦にならすことができないため、２つのタイルごとに1つのタイル均平機を設置する必要があることによって、加工過程が煩雑で、施工時間が長くなるからである。
２．使用コストが高い。1つの支持台で２つのタイルしか平坦にならすことができないため、２つのタイルごとに1つのタイル均平機を設置する必要があることによって、タイルを平坦にならす際にタイル均平機の使用量が増加するからである。
【０００４】
そこで、本考案は上記の問題点に鑑みてなされたものであり、タイル均平機改良構造を提供する。
【課題を解決するための手段】
【０００５】
本考案は、主に、タイル均平機改良構造を提供することを目的とする。該タイル均平機改良構造において、そのＴ型台座には底板と立て板を設け、前記底板には前側板と後側板を設け、前側板と後側板との底側が互いに接するように当接支持用底辺を設け、前側板と後側板は当接支持用底辺に沿って、それぞれ外向きに上方向に傾斜状に底面前傾斜面と底面後傾斜面を設け、底面前傾斜面と底面後傾斜面は地面水平面に対して成す角度が１°〜２０°であり、前側板と後側板との中央にそれぞれ前凹部と後凹部を内向きに凹設され、該前凹部と後凹部は三角形状若しくは台形状であり、前凹部と後凹部は前側板と後側板をそれぞれ左、右２つの弾性調整領域に離隔し、前側板と後側板の板体は外側から内向きに立て板まで厚みが次第に厚くなり、前側板と後側板との頂面に外から内にそれぞれ複数の前側リブと後側リブを設け、また、立て板の中央に貫通孔を貫設し、底板の前側板と後側板との底側の間に設けた当接支持用底辺を地面に当接することで、平坦にしようとするタイルをそれぞれ前側板と後側板の前、後凹部によって離隔された左、右の弾性調整領域に設置し、立て板に設けた貫通孔を貫通した傾斜ブロック調整体でタイルを整列平坦化する。そして、前側板と後側板の前、後凹部によって離隔された左、右の弾性調整領域がそれぞれ弾性を有することで、複数のタイルを平坦にならすことができる。
【考案の効果】
【０００６】
本考案によれば、効率的に加工時間を節減して施工速度を加速するとともに、タイル均平機の使用量を低減し、使用上の利便性に優れ、使用コストを低減する効果を達成することができる。
【図面の簡単な説明】
【０００７】
【図１】本考案のタイル均平機改良構造を示す斜視図である。
【図２】本考案のタイル均平機改良構造を示す側面断面図である。
【図３】本考案のタイル均平機改良構造を示す正面図である。
【図４】本考案の、傾斜ブロック調整体を組み合わせて使用する場合の参考図である。
【図５】本考案の、傾斜ブロック調整体を組み合わせて使用する場合の正面図である。
【図６】本考案の、傾斜ブロック調整体を組み合わせて使用する場合の側面図である。
【図７】本考案のタイル均平機を４つのタイルの間に設置して平坦化する場合の参考図である。
【図８】本考案の実施例における前、後側の前、後凹部が台形状である状態を示す参考図である。
【図９】従来のタイル均平機の構成を示す概略図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
［第１実施形態］
【０００９】
図１乃至図３には、本考案に係るタイル均平機改良構造の斜視図、側面断面図及び正面図を示す。該タイル均平機改良構造は、Ｔ型台座１０を含み、該Ｔ型台座１０には、底板１１と立て板１２を設け、底板１１には前側板１１０と後側板１１１を設け、前側板１１０と後側板１１１との底側が互いに接するように当接支持用底辺１１２を設け、前側板１１０と後側板１１１は当接支持用底辺１１２に沿って、それぞれ外向きに上方に傾斜状に底面前傾斜面１１０Ａと底面後傾斜面１１１Ａを設け、底面前傾斜面１１０Ａと底面後傾斜面１１１Ａは地面の水平面に対して成す角度が１°〜２０°であり、前側板１１０と後側板１１１との中央にそれぞれ前凹部１１０Ｂと後凹部１１１Ｂを内向きに凹設し、前記前凹部１１０Ｂと後凹部１１１Ｂは三角形状であり、前凹部１１０Ｂと後凹部１１１Ｂは前側板１１０と後側板１１１をそれぞれ左、右２つの弾性調整領域に離隔し、前側板１１０と後側板１１１の板体は外側から内向きに立て板１２まで厚みが次第に厚くなり、前側板１１０と後側板１１１との頂面に外から内にそれぞれ複数の前側リブ１１０Ｃと後側リブ１１１Ｃを設け、また、立て板１２の中央に貫通孔１２０を貫設する。上記構造の組合せによって、本考案のタイル均平機改良構造が完成する。
【００１０】
また、図２乃至７は、本考案に係るタイル均平機改良構造の側面断面図、正面図、傾斜ブロック調整体を組み合わせて使用する場合の参考図、傾斜ブロック調整体を組み合わせて使用する場合の正面図、傾斜ブロック調整体を組み合わせて使用する場合の側面図、及びタイル均平機を４つのタイルの間に設けて平坦化する場合の参考図である。その底板１１の前側板１１０と後側板１１１との底側の間に設けた当接支持用底辺１１２を地面に当接し、平坦にしようとするタイルをそれぞれ前側板１１０と後側板１１１の前、後凹部１１０Ｂ、１１１Ｂによって離隔された左、右の弾性調整領域に設置し、立て板１２に設けた貫通孔１２０を貫通した傾斜ブロック調整体でタイルを整列平坦化する。そして、前側板１１０と後側板１１１の前、後凹部１１０Ｂ、１１１Ｂによって離隔された左、右の弾性調整領域がそれぞれ弾性を有することで、複数のタイルを平坦にでき、効率的に加工時間を節減して施工速度を加速したことで、タイル均平機の使用量を低減して、使用面での利便性の良さとコストの低減効果を達成することができ、効率的に加工時間を節減して施工速度を加速するとともに、タイル均平機の使用量を低減し、使用上の利便性に優れ、コストを低減する効果を達成することができる。
【００１１】
さらに、図８は本考案に係るタイル均平機改良構造の実施例における前、後側の前、後凹部が台形状である状態を示す参考図である。その構造は全体として本考案の図１乃至図７と同じであるが、その前側板１１０と後側板１１１の前凹部１１０Ｂと後凹部１１１Ｂが台形状であることで、本考案の実用性が高まる。
【００１２】
尚、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【符号の説明】
【００１３】
１０  Ｔ型台座
１１  底板
１１０  前側板
１１０Ａ  底面前傾斜面
１１０Ｂ  前凹部
１１０Ｃ  前側リブ
１１１  後側板
１１１Ａ  底面後傾斜面
１１１Ｂ  後凹部
１１１Ｃ  後側リブ
１１２  当接支持用底辺
１２  立て板
１２０  貫通孔
２０  支持台
２１  ベース
２１０  案内孔
２２  柄部
２２０  穴部
３０  押圧ブロック
【図１】
0003203020.tif 000003
【図２】
0003203020.tif 000004
【図３】
0003203020.tif 000005
【図４】
0003203020.tif 000006
【図５】
0003203020.tif 000007
【図６】
0003203020.tif 000008
【図７】
0003203020.tif 000009
【図８】
0003203020.tif 000010
【図９】
0003203020.tif 000011